(57)【要約】【課題】複数の構成品から構成され、頻繁にその構成が変わる設備の構成情報を、履歴も含めて、効率的な管理を行う。【解決手段】構成情報の更新や構成情報の参照の指示を受け付ける情報更新・参照指示受付手段と、前記指示に基づき設備構成情報及び構成履歴情報を更新する情報登録手段と、構成情報及び構成履歴情報を記録するデータベースとを備え、該データベースが管理する設備の各構成品についての管理項目に、構成情報の更新日時に関する属性と、現在の構成情報か履歴情報かを区別する履歴識別属性を含め、構成が変化した場合の構成履歴情報を新しいレコードの追加としてデータベース記録することにより、一つの構成品を複数のレコードで管理し、構成情報及び構成履歴情報を一元的にデータベースで管理する。【選択図】        図２
2004258733.tif 000002
【特許請求の範囲】
【請求項１】
複数の構成品から構成され、お互いに関連がある設備の構成情報及びこれら構成情報の変化の履歴をデータベースで管理する履歴管理システムであって、システム利用者からの構成情報の更新や構成情報の参照の指示を受け付ける情報更新・参照指示受付手段と、前記指示に基づき設備構成情報及び構成履歴情報を更新する情報登録手段と、前記構成情報及び構成履歴情報を記録するデータベースとを備え、該データベースが管理する前記設備の各構成品についての管理項目に、前記構成情報の更新日時に関する属性と、現在の構成情報か履歴情報かを区別する履歴識別属性を含め、構成が変化した場合の構成履歴情報を新しいレコードの追加として記録することにより、一つの構成品を複数のレコードで管理し、前記構成情報及び構成履歴情報を一元的にデータベースで管理し得るように構成したことを特徴とする履歴管理システム。
【請求項２】
前記設備を、通信ケーブルと接続ポートから構成される配線設備とし、該配線設備の構成情報を管理対象とすることを特徴とする請求項１に記載の履歴管理システム
【請求項３】
前記構成履歴情報も含め前記構成情報を参照する情報参照手段と、参照した結果を画面に出力する情報表示手段とをさらに備えていることを特徴とする請求項１又は２に記載の履歴管理システム。
【請求項４】
参照した結果をファイルに記録する情報出力手段をさらに備えていることを特徴とする請求項３に記載の履歴管理システム。
【請求項５】
前記情報更新・参照指示受付手段が、前記設備の構成品に付与された識別情報を読取るための識別情報読取手段を介して前記指示を受け付けるようにしたことを特徴とする請求項１〜４のいずれか一項に記載の履歴管理システム。
【請求項６】
前記設備の各管理対象構成品から自発的に更新情報を取得する手段も備えていることを特徴とする請求項１〜５のいずれか一項に記載の履歴管理システム。
【請求項７】
複数の構成品から構成され、お互いに関連がある設備の構成情報、及びこれら構成情報の変化の履歴をデータベースで管理する履歴管理方法であって、前記構成情報の更新を指示する更新指示ステップと、前記更新の指示を受けて、前記データベースにおける構成変更前の情報を構成履歴情報に変える更新ステップと、構成変更後の情報を新規にデータベースに追加するステップとを有し、現在の構成情報を管理するデータベースのスキーマに、該構成情報の更新日時を記録する属性と、現在の構成情報と過去の構成情報とを区別するための履歴識別属性を持たせ、一つの構成品に関する現在の構成情報と過去の構成履歴情報とを同じデータベーススキーマで複数記録可能として、現在の構成情報と過去の構成履歴情報とを一元的に管理することを特徴とする履歴管理方法。
【請求項８】
前記設備を、通信ケーブルと接続ポートから構成される配線設備とし、該配線設備の構成情報を管理対象とすることを特徴とする請求項７に記載の履歴管理方法。
【請求項９】
前記更新ステップが、現在の構成情報の履歴識別属性を過去の構成情報を表す値へと変化させ、新しい構成情報を履歴識別属性が現在の構成情報を表す値で追加することにより、構成情報を管理することを特徴とする請求項７又は８に記載の履歴管理方法。
【請求項１０】
前記更新日時を検索のキー情報とし、指定日時における構成情報を参照するステップも有することを特徴とする請求項請求項７〜９のいずれか一項に記載の履歴管理方法。
【請求項１１】
請求項７〜１０の履歴管理方法を実行するプログラムを記憶した記録媒体。
【発明の詳細な説明】
【０００１】
【発明の属する技術分野】
本発明は、複数の構成品から構成され、お互いに関連がある設備の構成情報を管理するシステムであって、頻繁にその関連を含めた構成が変化するシステムに関連し、設備の構成の変化の履歴をデータベースを用いて管理する管理方法及びその方法を実現する管理システムに関するものである。
【０００２】
【従来の技術】
複数の構成品から構成され、頻繁にその構成が変化する設備を管理するシステムの例としては、通信サービスを提供する施設内における配線管理システムがあり、配線管理については、例えば、２次元バーコードを利用したものが知られている（例えば、非特許文献１参照）。
【０００３】
一方、履歴情報を管理する技術としては、現在の設備の構成情報を管理する構成管理データベースとは別に、履歴を管理する専用の構成履歴管理データベースを用いて管理する方法が一般的である。この場合、現在の構成情報を管理する構成管理データベースでは、管理対象設備に相当するだけのレコードを用意すればよく、管理データの情報量が少なく、検索性に優れ、有益である。
【０００４】
また、単体の設備の変化する敷設状況を時間情報と共に管理するシステムがあり、例えば通信局外に敷設されている通信ケーブルを対象とした管理システムが知られている（例えば、非特許文献２参照）。このシステムは、通信施設外に敷設されている通信ケーブルのように構成品の構成関係が変わらない設備の履歴管理には有用である。
【０００５】
【非特許文献１】
２０００年  電子情報通信学会総合大会Ｂ−１０−２８、「２次元バーコードを利用した所内光配線管理方法の検討」
【非特許文献２】
２００１年  環境システム計測制御学会  ＥＩＣＡ研究発表会、ＶＯＬ．６  Ｎｏ．２  第１５−２１頁、「光ファイバケーブル心線管理システム」
【０００６】
【発明が解決しようとする課題】
従来の履歴管理方法は、設備の現在の構成情報を管理する構成管理データベースと、履歴を管理するデータベースとが異なっており、従って、２つのデータベースを用意しなければならない。また、これら２つのデータベースの構造が異なるため、データベースの登録手段もそれぞれのデータベース向けに用意しなければならず、管理の手順が複雑となるという問題がある。
【０００７】
また、管理対象設備の構成が変化した場合には、変化した設備構成に関係するすべての設備の情報を、履歴データとして、構成履歴管理データベースに登録しなければならず、データ管理効率が悪い。即ち、変化した設備構成に関係する構成品の範囲は、対象とする設備の構成や利用方法によって異なり、構成が頻繁に変化したり、構成品間の関係が複雑な場合には、範囲が非常に広範囲になり、対象とする設備量が大きくなり、履歴を管理するためのデータベースのデータ量が非常に多くなるからである。
【０００８】
さらに、対象とする設備の種類によっては、変化した設備構成に関係する構成品の範囲が一定でなく、履歴を管理するデータベースのテーブル構造、即ち、スキーマをあらかじめ規定することが難しいという問題がある。
【０００９】
本発明は上述したような諸問題に鑑み、複数の構成品から構成され、頻繁にその構成が変わる設備の構成情報を、履歴も含めて、効率的な管理を行うことができ、特に、更新に伴なう処理量も少なく、管理に必要なデータ量が少なくて済む履歴管理システム及び履歴管理方法を提供することを目的とする。
【００１０】
【課題を解決するための手段】
上記目的達成のために、請求項１の発明は、複数の構成品から構成され、お互いに関連がある設備の構成情報及びこれら構成情報の変化の履歴をデータベースで管理する履歴管理システムであって、システム利用者からの構成情報の更新や構成情報の参照の指示を受け付ける情報更新・参照指示受付手段と、前記指示に基づき設備構成情報及び構成履歴情報を更新する情報登録手段と、前記構成情報及び構成履歴情報を記録するデータベースとを備え、該データベースが管理する前記設備の各構成品についての管理項目に、前記構成情報の更新日時に関する属性と、現在の構成情報か履歴情報かを区別する履歴識別属性を含め、構成が変化した場合の構成履歴情報を新しいレコードの追加として記録することにより、一つの構成品を複数のレコードで管理し、前記構成情報及び構成履歴情報を一元的にデータベースで管理し得るように構成したことを特徴とする履歴管理システム
にある。
【００１１】
このような構成とすることにより、構成情報と構成履歴情報とを一元的に管理することができ、効率的な管理が可能である。
【００１２】
請求項２の発明は、請求項１において、前記設備を、通信ケーブルと接続ポートから構成される配線設備とし、該配線設備の構成情報を管理対象とすることを特徴とする。
【００１３】
請求項３の発明は、請求項１又は２において、前記構成履歴情報も含め前記構成情報を参照する情報参照手段と、参照した結果を画面に出力する情報表示手段とをさらに備えていることを特徴とする。
【００１４】
請求項４の発明は、請求項３において、参照した結果をファイルに記録する情報出力手段をさらに備えていることを特徴とする。
【００１５】
請求項５の発明は、請求項１〜４のいずれか一項において、前記情報更新・参照指示受付手段が、前記設備の構成品に付与された識別情報を読取るための識別情報読取手段を介して前記指示を受け付けるようにしたことを特徴とする。
【００１６】
請求項６の発明は、請求項１〜５のいずれか一項において、前記設備の各管理対象構成品から自発的に更新情報を取得する手段も備えていることを特徴とする。
【００１７】
請求項７の発明は、複数の構成品から構成され、お互いに関連がある設備の構成情報、及びこれら構成情報の変化の履歴をデータベースで管理する履歴管理方法であって、前記構成情報の更新を指示する更新指示ステップと、前記更新の指示を受けて、前記データベースにおける構成変更前の情報を構成履歴情報に変える更新ステップと、構成変更後の情報を新規にデータベースに追加するステップとを有し、現在の構成情報を管理するデータベースのスキーマに、該構成情報の更新日時を記録する属性と、現在の構成情報と過去の構成情報とを区別するための履歴識別属性を持たせ、一つの構成品に関する現在の構成情報と過去の構成履歴情報とを同じデータベーススキーマで複数記録可能として、現在の構成情報と過去の構成履歴情報とを一元的に管理することを特徴とする履歴管理方法にある。
【００１８】
このような管理方法とすることにより、管理対象設備の構成が変化し、構成情報を更新し、構成履歴情報を追加する場合に、新しい構成情報の更新は新規にその情報を表すレコードを追加することにより実現し、さらに、構成履歴情報は管理対象設備の構成変更前の構成情報を表現するレコードの履歴識別属性を、履歴情報を表現状態へと変化させるだけで実現でき、更新処理量が少なく、管理に必要なデータ量が少なくて済む管理が可能である。
【００１９】
請求項８の発明は、請求項７において、前記設備を、通信ケーブルと接続ポートから構成される配線設備とし、該配線設備の構成情報を管理対象とすることを特徴とする。
【００２０】
請求項９の発明は、請求項７または８において、前記更新ステップが、現在の構成情報の履歴識別属性を過去の構成情報を表す値へと変化させ、新しい構成情報を履歴識別属性が現在の構成情報を表す値で追加することにより、構成情報を管理することを特徴とする。
【００２１】
このような管理方法とすることにより、構成履歴に管理されている多くの履歴情報を単一の参照手段を用いて参照でき、効率的な参照が可能である。
【００２２】
請求項１０の発明は、請求項７〜９のいずれか一項において、前記更新日時を検索のキー情報とし、指定日時における構成情報を参照するステップも有することを特徴とする。
【００２３】
請求項１１の発明は、請求項７〜１０の履歴管理方法を実行するプログラムを記憶した記録媒体にある。
【００２４】
【発明の実施の形態】
本発明の実施形態を説明する前に、比較のために従来の履歴管理システムの概要につき説明する。
【００２５】
図１は、複数の構成品から構成され、お互いに関連がある設備の構成情報をデータベースで管理すると共に、これらの構成情報の変化の履歴を別のデータベースを用いて管理する、従来の履歴管理システムの概要図である。このシステムは、システム利用者からの情報更新や情報参照の指示を受け付ける情報更新・参照指示受付手段１と、指示に基づき構成情報及び構成履歴情報をそれぞれ登録する構成情報登録手段２及び構成履歴情報登録手段３と、指示に基づき構成情報及び構成履歴情報をそれぞれ参照する構成情報参照手段４及び構成履歴情報参照手段５と、参照した結果をファイルや画面に出力する情報表示手段６と、構成情報を記録して管理する構成情報データベース７と、構成履歴情報を記録して管理する構成履歴情報データベース８とを備えている。
【００２６】
このような従来の履歴管理システムでは、前述したように、設備の現在の構成情報を管理する構成情報データベース７と、構成情報の変化の履歴を管理する構成履歴情報データベース８との２つのデータベースを用意しなければならず、また、これらのデータベースの構造が異なっているために、各データベースへの登録手段として、構成情報登録手段２及び構成履歴情報登録手段３の２つの情報登録手段を用意しなければならず、さらに、各データベースの構成情報及び構成履歴情報を参照するための手段として、構成情報参照手段４及び構成履歴情報参照手段５の２つの情報参照手段も用意しなければならないので管理の手順が極めて複雑であった。
【００２７】
さらにまた、設備構成が頻繁に変化したり、構成品間の関係が複雑な場合に、変化した設備構成に関係する構成品の範囲が非常に広範囲となり、対象とする設備量が大きくなり、履歴を管理するためのデータベース８のデータ量が非常に多くなることからして、データ管理効率が悪い等の問題もあった。
【００２８】
そこで本発明は、構成が頻繁に変わる設備の各構成品の構成情報を、履歴も含めて、効率的な管理を行えるようにすることにあり、以下、この本発明に係る履歴管理方法、履歴管理システムの好適な実施形態について、添付の図面を参照して説明する。
【００２９】
〔履歴管理システムの構成〕
図２は、本発明の実施形態である、履歴管理システムの構成を示す概略図である。図中、１０はシステム利用者からの情報更新や情報参照の指示を受け付ける情報更新・参照指示受付手段、１１は指示に基づき管理対象設備の構成情報と構成履歴情報を登録する情報登録手段、１２は構成情報や構成履歴情報を参照する情報参照手段、１３は参照した結果をファイルや画面に出力する情報表示手段、１４は構成情報と構成履歴情報を記録して管理するデータベースであり、本発明によれば、構成情報と構成履歴情報をデータベース１４で一元的に管理する。
【００３０】
前記情報更新・参照指示受付手段１０は、前記設備の構成品に付与された、バーコードのような識別情報を読取るための識別情報読取手段（図示せず）を介して前記指示を受け付けるようにするのが好適である。また、管理対象設備の変更に伴なう更新情報は、管理対象設備から自発的に取得する手段（図示せず）から受け取るようにするのが好適である。さらに、情報表示手段１３以外に、参照した結果をファイルに記録する図示しない情報出力手段を設けるのも好適である。
【００３１】
〔履歴管理システムの管理対象設備〕
図３は、図２に示した本発明による履歴管理システムの管理対象設備の一例である、通信施設内に配線されている光配線設備の一構成例を示す図である。
【００３２】
図３に示した光配線設備の構成品としては、通信ケーブル２０や、この通信ケーブルを接続する接続ポート３１〜３３：４１〜４３や、これらの接続ポートを収容するケーブルラック３０及び４０などがある。
【００３３】
ケーブルラック３０には接続ポート３１，３２，３３が搭載され、同様にケーブルラック４０には接続ポート４１，４２，４３が搭載されている。
【００３４】
通信ケーブル２０は、この例の場合には４本の心線２１，２２，２３，２４から構成され、それぞれの心線には両端にコネクタ２１ａ〜２４ａ；２１ｂ〜２４ｂが取り付けられており、これらのコネクタは接続ポート３１〜３３；４１〜４３に接続可能である。例えば、心線２１のコネクタ２１ａ及び２１ｂは、接続ポート３１〜３３のいずれか一つと、接続ポート４１〜４３のいずれか一つにそれぞれ接続可能である。
【００３５】
図３の例では、通信ケーブル２０は、ケーブルラック３０と４０の間に配線され、コネクタ２１ａと接続ポート３１、コネクタ２１ｂと接続ポート４１の２箇所が接続され、それ以外のコネクタはどの接続ポートとも接続していない、未接続の状態にある。
【００３６】
〔履歴管理システムのスキーマ定義〕
図４は、本発明による履歴管理システムにおいて、図３に示す光配線設備における各構成品の設置情報や配線情報などを管理するためのデータベース１４のスキーマ定義である。
【００３７】
図４中、３−１はケーブルラックを管理するテーブルのテーブル定義、３−２は接続ポートを管理するテーブルのテーブル定義、３−３が通信ケーブルを管理するテーブルのテーブル定義、３−４は心線を管理するテーブルのテーブル定義をそれぞれ表している。
【００３８】
ケーブルラックテーブル定義３−１には、ケーブルラックのＩＤ（識別子）３−１−１、ケーブルラック名３−１−２、設置場所３−１−３、更新日時３−１−４、履歴識別３−１−５の属性があり、ケーブルラックＩＤ属性は管理対象ケーブルラックに対して付与されるユニークな番号を管理する属性であり、ケーブルラック名属性は管理対象ケーブルラックに付与された名前を管理する属性であり、設置場所属性は管理対象ケーブルラックの設置場所を管理する属性であり、更新日時属性は当該ケーブルラックテーブルの情報が更新された日時を管理する属性であり、履歴識別属性は該当情報が現在の設備情報であるか、履歴情報であるかを管理する属性である。
【００３９】
接続ポートテーブル定義３−２には、接続ポートＩＤ３−２−１、ケーブルラックＩＤ３−２−２、接続ポート名３−２−３、更新日時３−２−４、履歴識別３−２−５の属性があり、接続ポートＩＤ属性は管理対象接続ポートに対して付与されるユニークな番号を管理する属性であり、ケーブルラックＩＤ属性は管理対象接続ポートが搭載されるケーブルラックのケーブルラックＩＤを管理する属性であり、接続ポート名属性は管理対象接続ポートに付与された名前を管理する属性であり、更新日時属性は当該接続ポートテーブルの情報が更新された日時を管理する属性であり、履歴識別属性は該当情報が現在の設備情報であるか、履歴情報であるかを管理する属性である。
【００４０】
通信ケーブルテーブル定義３−３には、通信ケーブルＩＤ３−３−１、通信ケーブル名３−３−２、ケーブルラック１（図３の例ではケーブルラック３０）のＩＤ３−３−３、ケーブルラック２（図３の例ではケーブルラック４０）のＩＤ３−３−４、更新日時３−３−５、履歴識別３−３−６の属性があり、通信ケーブルＩＤ属性は管理対象通信ケーブルに対して付与されるユニークな番号を管理する属性であり、通信ケーブル名属性は管理対象通信ケーブルに付与された名前を管理する属性であり、ケーブルラックＩＤ属性は、それぞれ通信ケーブルが配線されているケーブルラックのケーブルラックＩＤを管理する属性であり、更新日時属性は当該通信ケーブルテーブルの情報が更新された日時を管理する属性であり、履歴識別属性は該当情報が現在の設備情報であるか、履歴情報であるかを管理する属性である。
【００４１】
心線テーブル定義３−４には、心線ＩＤ３−４−１、心線名３−４−２、通信ケーブルＩＤ３−４−３、接続ポート１ＩＤ３−４−４、接続ポート２ＩＤ３−４−５、更新日時３−３−６、履歴識別３−３−７の属性があり、心線ＩＤ属性は管理対象心線に対して付与されるユニークな番号を管理する属性であり、心線名属性は管理対象心線に付与された名前を管理する属性であり、接続ポート１ＩＤ属性及び接続ポート２ＩＤ属性は、それぞれ心線が接続されている接続ポートの接続ポートＩＤを管理する属性であり、更新日時属性は当該心線テーブルの情報が更新された日時を管理する属性であり、履歴識別属性は該当情報が現在の設備情報であるか、履歴情報であるかを管理する属性である。
【００４２】
〔履歴管理システムの管理データ例〕
図５から図８は、図４のスキーマ定義に従い、図３の設備構成をデータベース１４の具体的なデータとして表したものである。
【００４３】
図５はケーブルラックテーブル３−１の管理データの一覧であり、図６は接続ポートテーブル３−２の管理データの一覧であり、図７は通信ケーブルテーブル３−３の管理データの一覧であり、図８は心線テーブル３−４の管理データの一覧である。これらすべてのテーブルにおけるすべての管理データは、履歴識別属性が０であり、これらは図３に示す現在の構成情報を表している。
【００４４】
〔履歴管理システムの構成履歴情報の登録手順〕
図９は本発明の履歴管理システムにおける構成履歴情報の登録手順を示す処理フロー図であり、登録手順については追って説明する。
【００４５】
図１０は、図３の設備構成において、心線２１のコネクタ２１ａを接続ポート３１からはずした後の設備構成を示す図である。
【００４６】
図１１は、図１０の設備構成において、心線２１のコネクタ２１ａを接続ポート３１に接続した後の設備構成を示す図である。
【００４７】
図１２は図３の設備構成から図１０の状態に構成変更した後の心線テーブル３−４のデータを表し、図１３は、図１０から図１１に構成変更した後の心線テーブル３−４のデータを表している。
【００４８】
次ぎに、図９〜図１３を用いて、図２の本発明による履歴管理システムの履歴管理方法の手順につき説明する。
【００４９】
システム利用者は、管理対象設備の構成が図３から図１０及び図１１のように変更されると、履歴管理システムの情報更新・参照指示手段１０に、構成情報の変更を指示する（ステップＳ１）。
【００５０】
変更指示を受け付けた情報更新・参照指示手段１０では、更新内容を情報登録手段１１に伝え、これを受けて情報登録手段１１がデータベース１４の構成変更前の情報を構成履歴情報に変える（ステップＳ２）。具体的には、図８に示す心線テーブルで構成変更対象設備に該当するレコードの「履歴識別」属性７−１−７の属性値を０から１へと変更し、図１２における「履歴識別」属性１０−１−７の属性値のように、その値を１にする。
【００５１】
次ぎに、情報更新・参照指示手段１０では、図１０から図１１の状態への構成の変更に対する更新内容を情報登録手段１１に伝え、この情報登録手段１１が構成変更後の情報を新規にデータベース１４に追加する（ステップＳ３）。具体的には、図１２の最下行における各属性のレコード１０−５−１〜１０−５−７を、「更新日時」属性１０−５−６にシステムが更新日時を自動的に設定し、「履歴識別」属性１０−５−７には０の属性値を設定するようにして、構成変更後の情報を新規に追加する。
【００５２】
このように、構成変更前の情報と構成変更後の情報を、同じデータベースを用いて管理することにより、データ更新処理量が少なく、管理に必要なデータ量が少なくて済む効率的な管理が可能となる。
【００５３】
〔履歴管理システムの構成履歴情報の参照手順〕
図１４は本発明の履歴管理システムにおける構成履歴情報の参照手順を示す処理フロー図であり、参照手順については追って説明する。
【００５４】
図１５は、構成履歴情報参照時の検索条件を示す図である。
【００５５】
図１６は、図１３に示す心線テーブルの情報を図１５の検索条件で検索した結果のデータである。
【００５６】
次ぎに、図１４〜図１６を用いて、図２の本発明による履歴管理システムが図１３の心線テーブルの構成履歴情報に対する参照手順につき説明する。
【００５７】
システム利用者は、管理対象設備の構成履歴情報を参照するときには、履歴管理システムの情報更新・参照指示受付手段１０に、検索条件をもって構成履歴情報の参照を指示する。具体的には、図１５に示す参照設備に関する条件「心線ＩＤが“４０１”である」と、参照希望履歴日時に関する条件「参照希望履歴日時が２００３年１月１３日１２：００と同じであるか、これよりも古いものの中で最新であるもの」とを検索条件として、構成履歴情報の参照を指示する。参照指示を受け付けた情報更新・参照指示受付手段１０では、参照指示内容を情報参照手段１２に伝える（ステップＳ１０）。
【００５８】
前記参照指示内容を受け取った情報参照手段１２はデータベース１４に対して、図１５の検索条件に基づいて検索して、結果を得る（ステップＳ１１）。具体的には、図１５の検索条件で検索すると、図１６に示す心線情報が得られる。
【００５９】
検索した結果は情報表示手段１３を用いて出力される（ステップＳ１２）。
【００６０】
この構成履歴情報参照手順では、検索条件の参照希望履歴日時を現時点とすることにより、構成履歴情報だけでなく、現在の構成情報を参照することができる。この場合には、現時点における構成情報参照時の検索条件を図１７に示すように規定する。この図１７に示す検索条件の場合には、図１８に示す心線情報を取得することができ、これは現時点の構成を示す。
【００６１】
このように、同じデータベースを用いながら、検索条件中の参照希望履歴日時に関する検索条件を変えることにより、その指定日時での構成情報を取得することができ、単一の情報参照手段を用いた効率のよい構成履歴所参照手段を提供できる。
【００６２】
本発明による履歴管理方法の処方は、コンピュータに実行させることのできるプログラムとして、磁気ディスク、光ディスク、半導体メモリなどの記録媒体に格納して頒布することができる。
【００６３】
本発明は上記実施形態に限定されることなく、本発明の趣旨から逸脱しない範囲内において幾多の変更を加え得ること勿論である。
【００６４】
【発明の効果】
以上説明したように、本発明によれば、通信局内の光配線設備のように、複数の構成品から構成され、頻繁にその構成が変わる設備の構成情報を履歴も含めて、効率的な管理を行うことができる。特に、更新に伴なう処理量も少なく、管理に必要なデータ量が少ない管理を行うことが可能である。
【図面の簡単な説明】
【図１】従来の履歴管理システムの一実施形態を示す概略ブロック図である。
【図２】本発明に係る履歴管理システムの一実施形態を示す概略ブロック図である。
【図３】履歴管理システムの管理対象設備の一例として、通信施設内に配線されている光配線設備の構成例を示す図である。
【図４】履歴管理システムのスキーマ構造を表す図である。
【図５】ケーブルラックテーブルの管理データを示す図である。
【図６】接続ポートテーブルの管理データを示す図である。
【図７】通信ケーブルテーブルの管理データを示す図である。
【図８】心線テーブルの管理データを示す図である。
【図９】構成履歴情報の登録手順を示す処理フロー図である。
【図１０】通信施設の構成変更後の構成を示す図である。
【図１１】通信施設の構成のさらなる変更後の構成を示す図である。
【図１２】図３から図１０に構成変更した後の心線テーブルのデータを示す図である。
【図１３】図１０から図１１に構成変更した後の心線テーブルのデータを示す図である。
【図１４】構成履歴情報の参照手順を示す処理フロー図である。
【図１５】構成履歴情報参照時の検索条件を示す図である。
【図１６】図１３に示す心線ケーブルの情報を図１５の検索条件で検索した結果の情報を示す図である。
【図１７】現在の構成情報を参照する際の検索条件を示す図である。
【図１８】図１３に示す心線ケーブルの情報を図１７の検索条件で検索した結果の情報を示す図である。
【符号の説明】
１  情報更新・参照指示受付手段
２  構成情報登録手段
３  構成履歴情報登録手段
４  構成情報参照手段
５  構成履歴情報参照手段
６  情報表示手段
７  構成情報データベース
８  構成履歴情報データベース
１０  情報更新・参照指示受付手段
１１  情報登録手段
１２  情報参照手段
１３  情報表示手段
１４  データベース
２０  通信ケーブル
２１〜２４  心線
２１ａ〜２４ａ  コネクタ
２１ｂ〜２４ｂ  コネクタ
３０  ケーブルラック
３１〜３３  接続ポート
４０  ケーブルラック
４１〜４３  接続ポート
【図１】
2004258733.tif 000003
【図２】
2004258733.tif 000004
【図３】
2004258733.tif 000005
【図４】
2004258733.tif 000006
【図５】
2004258733.tif 000007
【図６】
2004258733.tif 000008
【図７】
2004258733.tif 000009
【図８】
2004258733.tif 000010
【図９】
2004258733.tif 000011
【図１０】
2004258733.tif 000012
【図１１】
2004258733.tif 000013
【図１２】
2004258733.tif 000014
【図１３】
2004258733.tif 000015
【図１４】
2004258733.tif 000016
【図１５】
2004258733.tif 000017
【図１６】
2004258733.tif 000018
【図１７】
2004258733.tif 000019
【図１８】
2004258733.tif 000020